【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
所定の回転開始操作を受けて、複数種類の図柄が描かれた複数の回胴を回転させ、所定の回転停止操作を受けて前記複数の回胴の回転を停止させることで１回の図柄変動遊技を行う回胴式遊技機であって、
前記回転開始操作が行われてから１回の前記図柄変動遊技が終了するまでの間に、当該図柄変動遊技の進行を停滞させ、前記複数の回胴の各々に対応して設けられた複数の操作部の操作に基づいて、回転中の前記複数の回胴を仮停止させる回胴演出を実行可能な回胴演出実行手段と、
前記回胴演出を再度実行させるか否かを決定するための再実行抽選を行う再実行抽選手段と、
前記再実行抽選にて前記回胴演出を再度実行させないと決定された場合に、前記回胴演出を終了させ、停滞中の前記図柄変動遊技を再開する回胴演出終了手段と、
を備え、
前記回胴演出実行手段は、前記再実行抽選にて前記回胴演出を再度実行させると決定された場合には、前記回胴演出にて仮停止させた前記複数の回胴の回転を開始して前記回胴演出を再度実行し、
前記回胴演出が再度実行される場合に、特典を付与する特典付与手段を備える
ことを特徴とする回胴式遊技機。
【請求項２】
請求項１に記載の回胴式遊技機において、
前記特典付与手段により前記特典が付与される場合、付与される特典を表示する特典表示手段を備える
ことを特徴とする回胴式遊技機。
【請求項３】
請求項１または請求項２に記載の回胴式遊技機において、
前記特典付与手段は、前記回胴演出にて仮停止させた回胴の図柄が前記回胴演出の再度実行を示す再実行図柄である場合に、特典を付与する
ことを特徴とする回胴式遊技機。
【請求項４】
請求項１ないし請求項３の何れか一項に記載の回胴式遊技機において、
前記回胴演出が再度実行された回数が規定回数になると、前記再実行抽選で前記回胴演出の再度実行が決定される確率を変化させる確率変更手段を備える
ことを特徴とする回胴式遊技機。
【請求項５】
請求項１ないし請求項４に記載の回胴式遊技機において、
前記回胴演出にて前記複数の回胴を仮停止させて何れかの図柄を表示するように制御する仮停止制御手段を備え、
前記仮停止制御手段は、
前記再実行抽選にて前記回胴演出の再度実行が決定されると、前記回胴演出の再度実行を示す再実行図柄を表示して前記回胴を仮停止可能とし、
前記再実行抽選にて前記回胴演出を再度実行させないと決定されると、前記再実行図柄を表示せずに前記回胴を仮停止する
ことを特徴とする回胴式遊技機。
【手続補正２】
【補正対象書類名】明細書
【補正対象項目名】０００７
【補正方法】変更
【補正の内容】
【０００７】
上述した課題の少なくとも一部を解決するために、本発明の回胴式遊技機は次の構成を採用した。すなわち、
所定の回転開始操作を受けて、複数種類の図柄が描かれた複数の回胴を回転させ、所定の回転停止操作を受けて前記複数の回胴の回転を停止させることで１回の図柄変動遊技を行う回胴式遊技機であって、
前記回転開始操作が行われてから１回の前記図柄変動遊技が終了するまでの間に、当該図柄変動遊技の進行を停滞させ、前記複数の回胴の各々に対応して設けられた複数の操作部の操作に基づいて、回転中の前記複数の回胴を仮停止させる回胴演出を実行可能な回胴演出実行手段と、
前記回胴演出を再度実行させるか否かを決定するための再実行抽選を行う再実行抽選手段と、
前記再実行抽選にて前記回胴演出を再度実行させないと決定された場合に、前記回胴演出を終了させ、停滞中の前記図柄変動遊技を再開する回胴演出終了手段と、
を備え、
前記回胴演出実行手段は、前記再実行抽選にて前記回胴演出を再度実行させると決定された場合には、前記回胴演出にて仮停止させた前記複数の回胴の回転を開始して前記回胴演出を再度実行し、
前記回胴演出が再度実行される場合に、特典を付与する特典付与手段を備える
ことを特徴とする。
【手続補正３】
【補正対象書類名】明細書
【補正対象項目名】０００９
【補正方法】変更
【補正の内容】
【０００９】
このような本発明の回胴式遊技機では、１回の図柄変動遊技が終了するまでに、図柄変動遊技を停滞させ、複数の回胴の各々に対応する複数の操作部が操作されたことに基づいて、回転中の回胴を仮停止させる回胴演出を実行可能となっており、回胴演出を再度実行するか否かを決定するための再実行抽選を行う。再実行抽選では、回胴演出を再度実行させると決定された場合には、もう一度回胴演出の実行が可能となる。これに対して、回胴演出を再度実行させないと決定された場合には、回胴演出が終了となる。これにより、図柄変動遊技の進行が停滞している回胴演出中において、回胴演出における遊技興趣を向上させることが可能となる。
【手続補正４】
【補正対象書類名】明細書
【補正対象項目名】００１０
【補正方法】変更
【補正の内容】
【００１０】
また、上述した本発明の回胴式遊技機では、
前記特典付与手段により前記特典が付与される場合、付与される特典を表示する特典表示手段を備える
こととしてもよい。
【手続補正５】
【補正対象書類名】明細書
【補正対象項目名】００１１
【補正方法】変更
【補正の内容】
【００１１】
このような構成によれば、サブ制御基板のＣＰＵは、主制御基板のＣＰＵの制御による回胴演出の結果（再度実行の可否）を受けて、特典を増加させるようになっており、回胴演出が再度実行される毎に特典が増加するので、回胴演出の再度実行に対する遊技者の期待を高めることができる。
【手続補正６】
【補正対象書類名】明細書
【補正対象項目名】００１２
【補正方法】変更
【補正の内容】
【００１２】
また、前述した本発明の回胴式遊技機では、
前記特典付与手段は、前記回胴演出にて仮停止させた回胴の図柄が前記回胴演出の再度実行を示す再実行図柄である場合に、特典を付与する
こととしてもよい。
【手続補正７】
【補正対象書類名】明細書
【補正対象項目名】００１３
【補正方法】変更
【補正の内容】
【００１３】
このような構成によれば、３回の再実行抽選のうち１回でも当選すれば、回胴演出が再度実行される。このように回胴演出の再度実行が可能となる機会を複数回設けることにより、例えば、３つの操作部のうち最初の操作で再実行抽選に当選しなくても、残りの操作で再実行抽選に当選して回胴演出が再度実行される可能性があるので、操作部の全てを操作するまで回胴演出の再度実行を期待させて、遊技興趣を高めておくことができる。
【手続補正８】
【補正対象書類名】明細書
【補正対象項目名】００１４
【補正方法】変更
【補正の内容】
【００１４】
また、こうした本発明の回胴式遊技機では、
前記回胴演出が再度実行された回数が規定回数になると、前記再実行抽選で前記回胴演出の再度実行が決定される確率を変化させる確率変更手段を備える
こととしてもよい。
【手続補正９】
【補正対象書類名】明細書
【補正対象項目名】００１５
【補正方法】変更
【補正の内容】
【００１５】
このようにすれば、回胴演出が長期に亘って再度実行される（多数回の回胴演出が連続して実行される）場合でも途中で再度実行が決定される確率に変化を付けることができる。また、再度実行が決定される確率が高くなることを遊技者に期待させることができるので、再度実行が決定される確率が画一的である場合に比べて、遊技興趣を高めることが可能となる。
【手続補正１０】
【補正対象書類名】明細書
【補正対象項目名】００１６
【補正方法】変更
【補正の内容】
【００１６】
また、上述した本発明の回胴式遊技機では、
前記回胴演出にて前記複数の回胴を仮停止させて何れかの図柄を表示するように制御する仮停止制御手段を備え、
前記仮停止制御手段は、
前記再実行抽選にて前記回胴演出の再度実行が決定されると、前記回胴演出の再度実行を示す再実行図柄を表示して前記回胴を仮停止可能とし、
前記再実行抽選にて前記回胴演出を再度実行させないと決定されると、前記再実行図柄を表示せずに前記回胴を仮停止する
こととしてもよい。
【手続補正１１】
【補正対象書類名】明細書
【補正対象項目名】００１７
【補正方法】変更
【補正の内容】
【００１７】
このようにすれば、遊技者は、再実行図柄が表示されることによって、回胴演出が再度実行されることや、特典が増加することを把握することが可能となる。このように、回胴演出の再度実行および特典の増加を視覚的に遊技者に示すことにより、回胴演出における遊技興趣を高めることができる。